【手続補正書】
【提出日】平成17年1月19日(2005.1.19)
【手続補正１】
【補正対象書類名】明細書
【補正対象項目名】全文
【補正方法】変更
【補正の内容】
【書類名】        明細書
【発明の名称】    検針方法、検針システム、上位装置及び検針端末
【特許請求の範囲】
【請求項１】
計測設定時間毎に計測した検針値を記憶し、この記憶した検針値を他の装置に送信する検針端末と、当該検針端末から送信されてきた検針値を受信して各検針端末毎及び各時間毎に検針値を対応させて記憶する前記他の装置とからなる検針システムを用いて検針する検針方法であって、
前記検針端末の過去の検針値が前記他の装置に一部または全部受信されていないと判断したとき、該検針端末に記憶されている未受信の検針値を呼出し、この呼出した検針値を前記他の装置に送信する
検針方法。
【請求項２】
計測設定時間毎に計測した検針値としての検針データを記憶し、この記憶した検針データを上位装置に送信する検針端末と、当該検針端末から送信されてきた検針データを受信して各検針端末毎及び各時間毎に検針データを対応させて記憶する前記上位装置とからなる検針システムを用いて検針する検針方法であって、
前記上位装置は検針端末から検針データを受信したとき、その受信した今回の検針データより１つ前の受信時刻の検針データが収集されているか否かを判別し、１つ前の検針データがないときには、前の検針データの存在を確認できる時間帯までさかのぼってチェックし、確認した時間帯から現在までの未受信の検針データを要求して補填する
検針方法。
【請求項３】
計測設定時間毎に計測した検針値としての検針データを記憶し、この記憶した検針データを上位装置に送信する検針端末と、当該検針端末から送信されてきた検針データを受信して各検針端末毎及び各時間毎に検針データを対応させて記憶する前記上位装置とからなる検針システムを用いて検針する検針方法であって、
前記上位装置は各検針端末が計測する検針データのチェック時間が設定されており、チェック時間になると、各検針端末に対する検針データのデータ抜けをチェックし、データ抜けがあれば、データ抜けした検針データを要求して補填する
検針方法。
【請求項４】
計測設定時間毎に計測した検針値を記憶し、この記憶した検針値を他の装置に送信する検針端末と、当該検針端末から送信されてきた検針値を受信して各検針端末毎及び各時間毎に検針値を対応させて記憶する前記他の装置とを備えて構成した検針システムであって、
前記検針端末の過去の検針値が前記他の装置に一部または全部受信されていないことを前記他の装置が検出したとき、該検針端末に記憶されている未受信の検針値を呼出す呼出手段と、
前記呼出手段により呼出された未受信の検針値を前記他の装置に送信する呼出応答手段とを備えた
検針システム。
【請求項５】
検針端末から送信されてきた検針値を受信して各検針端末毎及び各時間毎に検針値を対応させて記憶する上位装置であって、
前記検針端末の過去の検針値が上位装置に一部または全部受信されていないことを検出したとき、該検針端末に記憶されている未受信の検針値を呼出して再受信制御する制御手段を備えた
上位装置。
【請求項６】
前記制御手段は検針端末から検針値としての検針データを受信したとき、その受信した今回の検針データより１つ前の受信時刻の検針データが収集されているか否かを判別し、１つ前の検針データがないときには、前の検針データの存在を確認できる時間帯までさかのぼってチェックし、確認した時間帯から現在までの未受信の検針データを要求して補填制御する
請求項５記載の上位装置。
【請求項７】
前記制御手段は前記各検針端末が計測する検針データのチェック時間が設定されており、チェック時間になると、各検針端末に対する検針値としての検針データのデータ抜けをチェックし、データ抜けがあれば、データ抜けした検針データを要求して補填制御する
請求項５および６記載の上位装置。
【請求項８】
計測設定時間毎に計測した検針値を記憶し、この記憶した検針値を上位装置に送信許容する検針端末であって、
前記上位装置から過去に未受信の検針値が存在すると通知されたとき、当該未受信の検針値を前記上位装置に送信する制御手段を備えた
検針端末。
【発明の詳細な説明】
【０００１】
【発明の属する技術分野】
この発明は、例えば電気、ガス、水道等の計器あるいは自動販売機やＰＯＳ（販売時点情報管理）等の端末から上位装置に検針値を送信する検針方法に関し、さらに詳しくはデータ抜け発生時に効率よくデータ収集を行う検針方法、検針システム、上位装置及び検針端末に関する。
【０００２】
【従来の技術】
一般に、電子メータの検針値を収集処理する際、上位装置と下位の複数の検針端末とを通信接続して、検針端末の検針値を上位装置に送信してデータ収集している。
【０００３】
この場合、例えば「００：００」より１５分間隔で検針端末が電子メータの検針値を取得するとき、「００：００」の次に取得したデータが「００：４５」のときは、その間の「００：１５」と「００：３０」のデータ抜けが発生したと認識する。
【０００４】
このデータ抜けを認識した場合、一時的に無線状態が悪い場合は無線状態が回復するまで待機することが考えられるが、データ抜けに対しては処理しないため、データ抜け発生を的確に解決できなかった。また、センタにおいて監視者がデータ抜けを発見した場合に、検針員や保守要員を現地に派遣して検針データを人手により取得する方法がある。
【０００５】
【発明が解決しようとする課題】
しかし、この場合は監視者、検針員、保守要員等の人手による人件費や保守管理費がかかり、コスト高になる問題を有していた。
【０００６】
そこでこの発明は、検針端末の抜けデータを送信して抜けデータを直ちに補填することができる抜けデータの補填管理性能を高めた検針方法、検針システム、上位装置及び検針端末を提供することを目的とする。
【０００７】
【課題を解決するための手段】
この発明は、計測設定時間毎に計測した検針値を記憶し、この記憶した検針値を他の装置に送信する検針端末と、当該検針端末から送信されてきた検針値を受信して各検針端末毎及び各時間毎に検針値を対応させて記憶する前記他の装置とからなる検針システムを用いて検針する検針方法であって、前記検針端末の過去の検針値が前記他の装置に一部または全部受信されていないと判断したとき、該検針端末に記憶されている未受信の検針値を呼出し、この呼出した検針値を前記他の装置に送信することを特徴とする。
【０００８】
この結果、検針端末の過去の検針値が受信されていなければ、その未受信の検針値を呼出して直ちに補填することができる。したがって、未受信と判断した場合は、検針員や保守要員を現地に派遣せず、検針値を送信するだけで容易に未受信の検針値を取得することができる。それゆえ、人手による人件費や保守管理費を削減して確実に低コスト化できる。
またこの発明は、計測設定時間毎に計測した検針値としての検針データを記憶し、この記憶した検針データを上位装置に送信する検針端末と、当該検針端末から送信されてきた検針データを受信して各検針端末毎及び各時間毎に検針データを対応させて記憶する前記上位装置とからなる検針システムを用いて検針する検針方法であって、前記上位装置は検針端末から検針データを受信したとき、その受信した今回の検針データより１つ前の受信時刻の検針データが収集されているか否かを判別し、１つ前の検針データがないときには、前の検針データの存在を確認できる時間帯までさかのぼってチェックし、確認した時間帯から現在までの未受信の検針データを要求して補填することを特徴とする。
この発明の検針方法によれば、データ抜けがある場合には、その存在を確認することができる。また、１つ前の時間帯の検針データがなければ、さらにその１つ前の時間帯の検針データをチェックし、前の検針データの存在を確認できる時間帯までさかのぼって未受信の検針データの全てをチェックすることができる。したがって、データ抜けが１つでもあれば、そのデータ抜け部分をバックアップ処理してデータ抜けを解決することができる。
またこの発明は、計測設定時間毎に計測した検針値としての検針データを記憶し、この記憶した検針データを上位装置に送信する検針端末と、当該検針端末から送信されてきた検針データを受信して各検針端末毎及び各時間毎に検針データを対応させて記憶する前記上位装置とからなる検針システムを用いて検針する検針方法であって、前記上位装置は各検針端末が計測する検針データのチェック時間が設定されており、チェック時間になると、各検針端末に対する検針データのデータ抜けをチェックし、データ抜けがあれば、データ抜けした検針データを要求して補填することを特徴とする。
この発明の検針方法によれば、データ抜けをチェックする際、上位装置で定められた指定チェック時間毎にデータ抜けのチェックを実行するものである。このため、上位装置で予め定められた時間毎にデータ抜けを監視することができる。それゆえ、上位装置で定めた通りのデータ管理ができる。
【０００９】
またこの発明は、計測設定時間毎に計測した検針値を記憶し、この記憶した検針値を他の装置に送信する検針端末と、当該検針端末から送信されてきた検針値を受信して各検針端末毎及び各時間毎に検針値を対応させて記憶する前記他の装置とを備えて構成した検針システムであって、前記検針端末の過去の検針値が前記他の装置に一部または全部受信されていないことを前記他の装置が検出したとき、該検針端末に記憶されている未受信の検針値を呼出す呼出手段と、この呼出手段により呼出された未受信の検針値を前記他の装置に送信する呼出応答手段とを備えたことを特徴とする。
【００１０】
この発明の検針システムを用いた場合は、他の装置の呼出手段が検針端末に記憶されている未受信の検針値を呼出し、呼出された未受信の検針値を呼出応答手段が他の装置に送信して、呼出応答する検針システムのため、本来収集すべき抜けデータ等の必要なデータを短時間に能率よくデータ収集することができる。
【００１１】
またこの発明は、検針端末から送信されてきた検針値を受信して各検針端末毎及び各時間毎に検針値を対応させて記憶する上位装置であって、前記検針端末の過去の検針値が上位装置に一部または全部受信されていないことを検出したとき、該検針端末に記憶されている未受信の検針値を呼出して再受信制御する制御手段を備えたことを特徴とする。
【００１２】
この発明の上位装置を用いた場合は、上位装置の制御手段が検針端末に記憶されている未受信の検針値を呼出し、これを再受信することができるため、この上位装置から未受信の検針端末を指定して、その未受信の検針値を収集することができる。
またこの発明の制御手段は、検針端末から検針値としての検針データを受信したとき、その受信した今回の検針データより１つ前の受信時刻の検針データが収集されているか否かを判別し、１つ前の検針データがないときには、前の検針データの存在を確認できる時間帯までさかのぼってチェックし、確認した時間帯から現在までの未受信の検針データを要求して補填制御する上位装置であることを特徴とする。
この発明の上位装置を用いた場合は、１つ前の検針データがないときは、データ抜けと判定し、さらに１つ前の時間帯の検針データをチェックし、その存在を確認することができる。また、１つ前の時間帯の検針データがなければ、さらにその１つ前の時間帯の検針データをチェックし、前の検針データの存在を確認できる時間帯までさかのぼってチェックする。
例えば、１５分間隔でデータ収集している受信データチェックテーブルにおいて、現在時刻が「０３：００」のときは、それ以前の検針データの存在を確認できた時刻「００：００」までさかのぼってチェックする。この場合は、「００：１５」〜「０２：４５」の時間帯のデータ抜けが発生していることを検知する。このように、前の検針データの存在を確認できれば、その確認した時間帯から現在までの空白の未受信のデータ抜けした検針データを、該当する端末無線ユニットに要求し、その要求した検針データのレスポンスを受付けることにより、データ抜けをバックアップ処理して解決することができる。
またこの発明の制御手段は、前記各検針端末が計測する検針データのチェック時間が設定されており、チェック時間になると、各検針端末に対する検針値としての検針データのデータ抜けをチェックし、データ抜けがあれば、データ抜けした検針データを要求して補填制御する上位装置であることを特徴とする。
この発明の上位装置を用いた場合は、このデータ抜けをチェックする際、上位装置で定められた指定チェック時間毎に実行し、指定チェック時間になると、例えばＣＰＵが作成された受信データチェックテーブルを監視して、データ抜けをチェックすることができる。このため、予め定められた時間毎にデータ抜けを監視できる。
【００１３】
またこの発明は、計測設定時間毎に計測した検針値を記憶し、この記憶した検針値を上位装置に送信許容する検針端末であって、前記上位装置から過去に未受信の検針値が存在すると通知されたとき、当該未受信の検針値を前記上位装置に送信する制御手段を備えたことを特徴とする。
【００１４】
この発明の検針端末を用いた場合は、検針端末の制御手段が未受信と指定された特定の検針値を抽出して上位装置に送信することができる。
【００１５】
【発明の実施の形態】
この発明の一実施例を以下図面に基づいて詳述する。  
図１は家屋の電力消費量を自動検針する検針システム１１を示し、この検針システム１１は親局としての第１データ収集ユニットＵ1 と、家屋１２…毎に設置された子局（端局）としての第１〜第５端末無線ユニットＵａ，Ｕｂ，Ｕｃ，Ｕｄ，Ｕｅとの通信を一括して行う無線通信機能を有し、それぞれＰＨＳ（パーソナル・ハンディホン・システム）のトランシーバモードで接続している。
【００１６】
この無線通信機能は各々の通信エリア毎に設置され、他の親局の第２データ収集ユニットＵ2 と、家屋１２…毎に設置された端局の第６〜第１０端末無線ユニットＵｆ，Ｕｇ，Ｕｈ，Ｕｉ，Ｕｊとが存在する場合は、同様に無線通信機能を有してＰＨＳのトランシーバモードで通信接続している。
【００１７】
また、通信接続される各家屋１２…間は立地条件によって定められた例えば２５ｄｂ〜５５ｄｂ程度の通信可能な２０ｄｂ以上の通信電界強度で通信接続されている。
【００１８】
親局の各データ収集ユニットＵ1 ，Ｕ2 は、メインコントローラとして例えば電柱に設置され、センタ（基地局）１３からの指令信号に基づいて検針値、ユニット呼出番号、その呼出時刻、端局経路（通信ルートＬ）情報等の検針データを収集し、この収集した検針データを折返しセンタ１３に返信するものであって、各データ収集ユニットＵ1 ，Ｕ2 へは下位の端末無線ユニットＵｄ，Ｕｅから上位の端末無線ユニットＵｃ、あるいは下位の端末無線ユニットＵｊから中位の端末無線ユニットＵｉを介して上位の端末無線ユニットＵｆへと通信環境条件に適した通信ルートＬを経由させて通信接続している。
【００１９】
各端局の端末無線ユニットＵａ〜Ｕｊは、家屋１２…毎の電力消費量を検針する電力メータ１４…に設置されて、上位のデータ収集ユニットＵ1 ，Ｕ2 と無線で通信接続する。
【００２０】
この場合、上位のデータ収集ユニットＵ1 ，Ｕ2 と分散された複数の第１〜第１０の端末無線ユニットＵａ〜Ｕｊとの通信ルートＬに際しては、データ収集ユニットＵ1 ，Ｕ2 に直接通信接続される複数の上位の端末無線ユニットＵａ，Ｕｂ，Ｕｃ、あるいはＵｆ，Ｕｇ，Ｕｈと、これ以降に枝分れしてツリー構造に順次無線で通信接続される下位の端末無線ユニットＵｄ，Ｕｅ、あるいはＵｉ，Ｕｊとを有している。
【００２１】
そして、最も下位の端末無線ユニットからは、その１つ上位の端末無線ユニットを経由させた後、さらに１つ上位の端末無線ユニットを経由させて、下位から上位に吸上げる如く上位のデータ収集ユニットＵ1 ，Ｕ2 へとデータを収集させるツリー構造のデータ収集機能を有し、このツリー構造のデータ収集機能により、分散された下位の端末無線ユニットからの検針データを上位の端末無線ユニットへと導き、これより各上位のデータ収集ユニットＵ1 ，Ｕ2 へとデータ収集する通信ルートＬを確立している。
【００２２】
上位のセンタ１３は、営業所１５のサーバ（パーソナルコンピュータ）１６及びデータベース１７と通信接続し、サーバ１６からの指令にしたがって制御データをデータ収集ユニットＵ1 ，Ｕ2 及び端末無線ユニットＵａ〜Ｕｊに送信する。また、各端末無線ユニットＵａ〜Ｕｊから収集された多くの検針データをデータベース１７に格納して記憶管理する。
【００２３】
図２は検針システム１１の制御回路ブロック図を示し、第１データ収集ユニットＵ1 とその直下の第１端末無線ユニットＵａとの間の通信を例にとると、この第１データ収集ユニットＵ1 のＣＰＵ２１は、第１フラッシュメモリ２２と、第２フラッシュメモリ２３に格納されたプログラムに沿って上位無線部２４と下位無線部２５を制御し、その制御データをＲＡＭ２６で読出し可能に記憶する。
【００２４】
上位無線部２４は、上位のセンタ１３と通信接続し、このセンタ１３を経由させて営業所１５に設置されるサーバ１６のハードディスク２７及びデータベース１７と通信接続する。これに対し、下位無線部２５は直下の第１端末無線ユニットＵａ側と通信接続する。
【００２５】
一方、第１端末無線ユニットＵａのＣＰＵ３１は、第１フラッシュメモリ３２と、第２フラッシュメモリ３３に格納されたプログラムに沿って無線部３４及びメータＩ／Ｆ（インターフェース）３５を制御し、その制御データをＲＡＭ３６で読出し可能に記憶する。また、ＣＰＵ３１はメータＩ／Ｆ３５を介して端末無線ユニットの呼出番号毎に設けられた電力メータ１４の数値を定期的に読取る。
【００２６】
また、各ユニットのＣＰＵ２１，３１は、時刻を計時するタイマを内蔵してユニットＵ1 ，Ｕａ間での時刻データを照合し、通信性能及び信頼性を確保している。
【００２７】
この場合、第１端末無線ユニットＵａのＣＰＵ３１は、予め設定された計測設定時間、例えば１５分間隔毎に電力メータの検針値を計測して、この計測した検針値を第２フラッシュメモリ３３に記憶している（図３参照）。そして、この記憶した例えば１日分の検針データを１日１回、第１データ収集ユニットＵ1 に一括して送信する。
【００２８】
また、第１データ収集ユニットＵ1 のＣＰＵ２１は、第１〜第５端末無線ユニットＵａ〜Ｕｅから送信されてきた検針データを受信して第２フラッシュメモリ２３で記憶する（図４参照）。この場合、送信元の第１〜第５端末無線ユニットＵａ〜Ｕｅと、その計測した時間毎に検針値を対応させて正確に記憶し、この記憶した検針データがサーバ１６に収集されて統率管理される。
【００２９】
ところで、サーバ１６でデータ抜けが発生していることを監視者あるいはサーバの制御部が検出した場合は、その時点でサーバ１６側からデータ抜けの補填動作を実行する。
【００３０】
例えば、第１端末無線ユニットＵａから収集した検針データの一部にデータ抜けが発生している場合であれば、サーバ１６は先ず、上位の第１データ収集ユニットＵ1 に対して呼出指令し、これに基づいて第１データ収集ユニットＵ1 は第２フラッシュメモリ２３に記憶されているデータ抜けの検針値を呼出し、この呼出されたデータ抜けの検針値をサーバ１６に再送信する。また、第１データ収集ユニットＵ1 でデータ抜けを検出した場合はデータ抜けした端末無線ユニットを呼出し、この呼出指令されたデータ抜け対象の端末無線ユニットの第２フラッシュメモリ３３に記憶されているデータ抜けの検針値を呼出してデータ収集ユニットＵ1 に返信させる。
【００３１】
このように、データ抜けを検知するロジックはサーバ１６のハードディスク２７上、もしくはデータ収集ユニットの第１フラッシュメモリ２２上に持ち、サーバ１６もしくはデータ収集ユニットＵ1 のＣＰＵ２１で実行する。
【００３２】
抜けデータを返信するロジック及び検針データのバックアップ処理を行うロジックは、データ収集ユニットの第１フラッシュメモリ２２上、もしくは端末無線ユニットの第１フラッシュメモリ３２上に存在し、データ収集ユニットのＣＰＵ２１、もしくは端末無線ユニットのＣＰＵ３１で実行する。
【００３３】
この場合、検針データのバックアップエリアは、データ収集ユニットＵ1 の第２フラッシュメモリ２３上、もしくは端末無線ユニットＵａの第２フラッシュメモリ３３上に確保されている。
【００３４】
図３は第１端末無線ユニットＵａの第２フラッシュメモリ３３に記憶されているバックアップ用検針データの一例を示し、この第１端末無線ユニットＵａ自身が検針データを記憶管理してバックアップ機能を有している場合であり、例えば「０：００」→「０：１５」…のように１５分間隔で電力メータを検針し、計１週間分を確保したときのバックアップデータを示す。
【００３５】
図４は第１データ収集ユニットＵ1 の第２フラッシュメモリ２３に記憶されているバックアップ用検針データの一例を示し、この第１データ収集ユニットＵ1 自身が検針データを記憶管理してバックアップ機能を有している場合であり、データ収集ユニットＵ1 の配下のデータ収集対象となる第１〜第５端末無線ユニットＵａ〜Ｕｅの検針データを収集した１週間分のバックアップデータを示す。
【００３６】
次に、データ抜けのバックアップ処理動作を図５のフローチャートを参照して説明する。
【００３７】
今、サーバ１６が各データ収集ユニットから検針データを受信した際（ステップｎ1 ）、
サーバ１６は受信した検針データを受付けてデータベース１７に保存する（ステップｎ2 ）。
【００３８】
このとき、データ抜けがあるか、否かを判定し、データ抜けがなければ、適正データ収集と判定して、そのまま検針データを記憶して受信処理が終了する。一方、データ抜けを検出した場合、例えば検針間隔が１５分に設定されているとき、前回受信データが「００：００」で今回の受信データが「０３：００」のときは、「００：１５」〜「０２：４５」までのデータが抜けていると判断する（ステップｎ3 ）。
【００３９】
このデータ抜け発生時には、図６に示すように、バックアップ要求コマンドの指令内容に該当する端末無線ユニットのメータＩＤ、呼出番号に加えて、抜け時間帯の検針データを、データ収集ユニット側に対して要求指令する（ステップｎ4 ）。
【００４０】
この要求指令に応じてデータ収集ユニット側から回答があれば（ステップｎ5 ）、
その回答されたバックアップデータの抜け部分を埋めて検針データの補填処理が終了する（ステップｎ6 ）。
【００４１】
次に、データ抜け発生時に応答する返信処理動作を図７のフローチャートを参照して説明する。
【００４２】
今、データ抜けを解決するために、上位のサーバ１６より補填用のバックアップデータがデータ収集ユニットに要求された場合（ステップｎ11）、
その要求された指定時間帯の検針データを第２フラッシュメモリ２３より抽出して、上位のサーバ１６に返信する。この返信内容は例えば、図８に示すように、バックアップレスポンスの指令内容に該当する端末無線ユニットのメータＩＤ、呼出番号に加えて、抜け時間帯が「９９年６月２０日９：００」〜「９９年６月２４日２０：００」であれば、その時間帯の検針データをバックアップして上位に返答する（ステップｎ12）。
【００４３】
次に、サーバ１６における検針データの具体的な受信処理動作を図９のフローチャートを参照して説明する。  
通常、サーバ１６は下位からのデータ受信待ち状態にあり（ステップｎ21）、  下位の各端末無線ユニットからの検針データは規定時間毎にデータ収集ユニットに一括して収集管理されており、この検針データは例えば１日１回、規定時刻に上位のサーバ１６に送信される。そして、規定時刻になると中継局としてのデータ収集ユニットから上位のサーバ１６に検針データが送信される（ステップｎ22）。
【００４４】
サーバ１６は受信した検針データをファイルに格納し（ステップｎ23）、
その受信した検針データに抜け異常が発生していないかをチェックするため、受信データチェックテーブルを作成してデータ管理する（ステップｎ24）。
【００４５】
続いて、データ抜けのチェック処理動作を図１０のフローチャートを参照して説明する。  
このデータ抜けをチェックする機能は、予め定められた指定チェック時間になると（ステップｎ31）、
監視者あるいはＣＰＵが作成された受信データチェックテーブルを監視して、データ抜けをチェックし（ステップｎ32）、
データ抜けがなければ、適切なデータ収集が行われているため、そのままデータ収集動作を継続する（ステップｎ33）。
【００４６】
またこの場合、データ抜けがありと検出した場合は、そのデータ抜けのレスポンスをデータ収集ユニットに要請し、そのレスポンスを待機する（ステップｎ34）。
【００４７】
次に、具体的なデータ抜けバックアップ処理動作を図１１のフローチャートを参照して説明する。  
データ収集ユニットは各端末無線ユニットから検針データを受信したとき（ステップｎ41）、
その受信した今回の検針データより１つ前の受信時刻の検針データが収集されているかをチェックし、１つ前の検針データがあれば、適正に受信されていると判定する（ステップｎ42）。
【００４８】
これに対し、１つ前の検針データがないときは、データ抜けと判定し、さらに１つ前の時間帯の検針データをチェックし、その存在を確認する（ステップｎ43〜ｎ44）。
【００４９】
また、１つ前の時間帯の検針データがなければ、さらにその１つ前の時間帯の検針データをチェックし、前の検針データの存在を確認できる時間帯までさかのぼってチェックする。例えば、図１２に示すように、１５分間隔でデータ収集している受信データチェックテーブル１２１において、現在時刻が「０３：００」のときは、それ以前の検針データの存在を確認できた時刻「００：００」までさかのぼって、「００：１５」〜「０２：４５」の時間帯のデータ抜け１２２が発生していることを検知する（ステップｎ45〜ｎ47）。
【００５０】
前の検針データを確認できれば、その確認した時間帯から現在までの空白の未受信のデータ抜けの検針データを該当する端末無線ユニットに要求し（ステップｎ48）、
その要求した検針データのレスポンスを受付けることにより、データ抜けをバックアップ処理して解決する（ステップｎ49）。
【００５１】
この発明と、上述の一実施例の構成との対応において、
この発明の上位装置及び呼出手段は、実施例のサーバ１６もしくは第１データ収集ユニットＵ1 または第２データ収集ユニットＵ2 に対応し、
以下同様に、
他の端末は、各端末無線ユニットＵａ〜Ｕｊと、各データ収集ユニットＵ1 ，Ｕ2 及びサーバ１６とに対応し、
呼出応答手段は、各第１フラッシュメモリ２２，３２に対応し、
上位装置の制御手段は、ＣＰＵ２１に対応し、
検針端末の制御手段は、ＣＰＵ３１に対応にするも、
この発明は請求項に示される技術思想に基づいて応用することができ、上述の一実施例の構成のみに限定されるものではない。
【００５２】
例えば、上述の一実施例では電気消費量の検針値をデータ収集する場合を示したが、これに限らず、ガス、水道等の各種の機器使用量のデータ収集、あるいは自動販売機やＰＯＳ等の売上データの収集に適用することができる。
【００５３】
また、各ユニットＵ1 ，Ｕ2 、Ｕａ〜Ｕｊ間の通信に際しては、無線による通信に限らず、有線を利用することもできる。  
さらに、通信部間の最適な通信ルートを選択する際は、端末無線ユニット、データ収集ユニットの選択処理に限らず、係員が所持する携帯端末を用いて行ってもよい。
【００５４】
【発明の効果】
この発明によれば、検針端末の過去の検針値が受信されていなければ、その未受信の検針値を呼出して直ちに補填することができる。したがって、未受信と判断した場合は、検針員や保守要員を現地に派遣せず、検針値を送信するだけで容易に未受信の検針値を取得することができる。それゆえ、人手による人件費や保守管理費を削減して確実に低コスト化できる。
【図面の簡単な説明】
【図１】  家屋の電力消費量を自動検針する検針システムの概略構成図。
【図２】  検針システムの制御回路ブロック図。
【図３】  端末無線ユニットのバックアップデータを示す図表。
【図４】  データ収集ユニットのバックアップデータを示す図表。
【図５】  データ抜けのバックアップ処理動作を示すフローチャート。
【図６】  バックアップデータ要求コマンドの一例を示す説明図。
【図７】  データ抜け発生時に応答する返信処理動作を示すフローチャート。
【図８】  バックアップデータレスポンスの一例を示す説明図。
【図９】  サーバにおける検針データの具体的な受信処理動作を示すフローチャート。
【図１０】  データ抜けのチェック処理動作を示すフローチャート。
【図１１】  具体的なデータ抜けバックアップ処理動作を示すフローチャート。
【図１２】  データ抜けテーブルの一例を示す説明図。
【符号の説明】
１１…検針システム
１２…家  屋
１３…センタ
１４…電力メータ
１５…営業所
１６…サーバ
１７…データベース
Ｕ1 ，Ｕ2 …データ収集ユニット
Ｕａ〜Ｕｊ…端末無線ユニット
Ｌ…通信ルート
２１，３１…ＣＰＵ
２２，３２…第１フラッシュメモリ
２３，３３…第２フラッシュメモリ
２７…ハードディスク
１２１…受信データチェックテーブル
１２２…データ抜け